(57)【特許請求の範囲】
【請求項１】
前後方向に所定の間隔で複数形成される第１隔壁（１１１）と、上端が前記第１隔壁（１１１）より低く形成されて、左右方向に所定の間隔で複数形成される第２隔壁（１１２）が、一体化に交差する形状を持つ矩形板の形状を持ち、前記第１隔壁（１１１）と同じ高さから垂直方向の下に延長され、下端は、第１隔壁（１１１）及び第２隔壁（１１２）よりも下方に延長された後、内径が段差があるように縮小される円形の突出部材安着ホール（１１３）が、格子配列で複数配置され、前後及び左右側端は、垂直方向の下に延長される側面隔壁（１１４）を具備し、相互に対向する二つの側面隔壁（１１４）の側方端部の一部が切開された二つの空気連通ホール（１１５）を具備するグレーティングパネル（１１）と、前記グレーティングパネル（１１）の下部から挿入され、上面には、前記突出部材安着ホール（１１３）の垂直下部の延長線上に突出部材安着ホール（１１３）より大きい外径で垂直貫通される複数の貫通穴（１２１）と、前記貫通穴（１２１）を中心とする正方形の形状で上部に斜めに延長される斜面（１２２）と、隣接する斜面（１２２）の間及び斜面（１２２）と隣接する枠に上部に突出する複数の間隔保持突起（１２３）と、底面で、隣接する貫通穴（１２１）の間で垂直方向の下に延長されて前後方向に延長する複数の下部支持隔壁（１２４）と、前記二つの空気連通ホール（１１５）を延長する線上で相互に離隔された円筒状に形成される複数の下部支持ピン（１２５）を具備する下部パネル（１２）と、下部外径は、突出部材安着ホール（１１３）の下端内径が段差があるように縮小された部分を貫通して、上端外径は、段差があるように拡張された後、上端がふっくりと仕上げされて、前記突出部材安着ホール（１１３）に挿入された圧縮コイルバネ（１３１）が安着される安着段差（１３２）が形成され、底面の中央には、ネジ穴（１３３）が形成される複数の突出部材（１３）と、前記貫通穴（１２１）よりも大きい外径を持つ円板形に形成されて、上面は、中央に行くほど隆起した形状を持って、中央に、垂直に貫通する装着ホール（１４１）を具備して、下部から挿入される固定ボルト（１４２）が装着ホール（１４１）を貫通した後、突出部材（１３）のネジ穴（１３３）と結合される開閉部材（１４）で構成される複数のほこり吸引パネル（１）と、
複数の前記ほこり吸引パネル（１）が、格子配列に安着されるように平板形で地面に安着され、枠の部分には、安着されるほこり吸引パネル（１）の上部よりも低い高さで形成される枠部（２１）が形成される下部ベース（２）と、
一側は、地面に安着され、他側は、底面が上部に段差があるように曲げされてから水平に延長されて、前記下部ベース（２）の枠部（２１）の上部に安着され、進入し離脱する方向に傾斜路（３１）が形成される４つのケース（３）と、
前記ケース（３）中の一つと隣接して立設され、空気を吸引した後、ほこりをろ過してから排出するようにし、使用者が進入すると、これを検出して駆動するようにする検出部（４１）を含む集塵装置（４）とを、含んで構成されることを特徴とするほこり吸引装置。
【請求項２】
前記グレーティングパネル（１１）の側面隔壁（１１４）の底面には、上部に陥没されて第１シーリング（１１６）が挿入される第１シーリング溝（１１７）が形成されることを特徴とする請求項１に記載のほこり吸引装置。
【請求項３】
前記グレーティングパネル（１１）に形成された二つの空気連通ホール（１１５）中の一つは、底面が開口された「コ」の形状を持ち、枠に沿って外側に突出され、外郭枠に沿って陥没された第３シーリング（１１８）が挿入される第３シール溝（１１９）が形成され、他の一つは、隣接するグレーティングパネル（１１）の突出した部分が挿入されて、第３シーリング（１１８）を加圧するように構成されることを特徴とする請求項１又は請求項２に記載のほこり吸引装置。
【請求項４】
前記集塵装置４は、
第１ほこり捕集部（４７）と、前記第１ほこり捕集部（４７）に連通するフィルタチャンバ（４８）と、前記フィルタチャンバ（４８）に連通する第２ほこり捕集部（４９）と、前記第１ほこり捕集部（４７）に取り外し可能に結合されるほこり支持台（４４）とを含み、前記集塵装置（４）は、前記ほこり吸引パネル（１）にジャバラ形状のほこり吸引管（４６）を通じて接続され、
前記第１ほこり捕集部（４７）は、前記ほこり吸引パネル（１）において前記ほこり吸引管（４６）を通じて流入する巨大ほこりを捕集し、前記第２ほこり捕集部（４９）は、フィルタ（４８１）が装着されたフィルタチャンバ（４８）を通じて流入される微細ほこりを捕集することを特徴とする請求項１に記載のほこり吸引装置。
【請求項５】
前後方向に所定の間隔で複数形成される第１隔壁（１１１）と、上端が前記第１隔壁（１１１）より低く形成されて、左右方向に所定の間隔で複数形成される第２隔壁（１１２）が、一体化に交差する形状を持つ矩形板の形状を持ち、前記第１隔壁（１１１）と同じ高さから垂直方向の下に延長され、下端は、第１隔壁（１１１）及び第２隔壁（１１２）よりも下方に延長された後、内径が段差があるように縮小される円形の突出部材安着ホール（１１３）が、格子配列で複数配置され、前後及び左右側端は、垂直方向の下に延長される側面隔壁（１１４）を具備し、相互に対向する二つの側面隔壁（１１４）の側方端部の一部が切開された二つの空気連通ホール（１１５）を具備するグレーティングパネル（１１）と、前記グレーティングパネル（１１）の下部から挿入され、上面には、前記突出部材安着ホール（１１３）の垂直下部の延長線上に突出部材安着ホール（１１３）より大きい外径で垂直貫通される複数の貫通穴（１２１）と、前記貫通穴（１２１）を中心とする正方形の形状で上部に斜めに延長される斜面（１２２）と、隣接する斜面（１２２）の間及び斜面（１２２）と隣接する枠に上部に突出する複数の間隔保持突起（１２３）と、その下端の中央を横切る形態で配置される下部支持ピン（１２５）と、底面で、隣接する貫通穴（１２１）の間で垂直方向の下に延長されて前後方向に延長すると同時に、前記下部支持ピン（１２５）を基準として対称的に配置される複数の下部支持隔壁（１２４）とを具備する下部パネル（１２）と、下部外径は、突出部材安着ホール（１１３）の下端内径が段差があるように縮小された部分を貫通して、上端外径は、段差があるように拡張された後、上端がふっくりと仕上げされて、前記突出部材安着ホール（１１３）に挿入された圧縮コイルバネ（１３１）が安着される安着段差（１３２）が形成され、底面の中央には、ネジ穴（１３３）が形成される複数の突出部材（１３）と、前記貫通穴（１２１）よりも大きい外径を持つ円板形に形成されて、上面は、中央に行くほど隆起した形状を持って、中央に、垂直に貫通する装着ホール（１４１）を具備して、下部から挿入される固定ボルト（１４２）が装着ホール（１４１）を貫通した後、突出部材（１３）のネジ穴（１３３）と結合される開閉部材（１４）で構成される複数のほこり吸引パネル（１）と、
複数の前記ほこり吸引パネル（１）が、格子配列に安着されるように平板形で地面に安着され、枠の部分には、安着されるほこり吸引パネル（１）の上部よりも低い高さに形成される枠部（２１）が形成される下部ベース（２）と、
一側は、地面に安着され、他側は、底面が上部に段差があるように曲げされてから水平に延長されて、前記下部ベース（２）の枠部（２１）の上部に安着され、進入し離脱する方向に傾斜路（３１）が形成される４つのケース（３）と、
前記ケース（３）中の一つと隣接して立設され、空気を吸引した後、ほこりをろ過してから排出するようにし、使用者が進入すると、これを検出して駆動するようにする検出部（４１）を含む集塵装置（４）とを、含んで構成されることを特徴とするほこり吸引装置。
【発明の詳細な説明】
【技術分野】
【０００１】
本発明は、ほこり吸引装置に関し、更に詳細に説明すると、清潔さを必要とする空間に人が進入する前に、主に靴に付着したほこりを吸引するようにする装置で、分解が容易で洗浄や整備が容易であり、完全に吸引されていないほこりや髪のような異物が飛散することを防止することができるようにするために開発されたほこり吸引装置に関するものである。
【背景技術】
【０００２】
各種の粉塵や汚染物質を処理することができるようにするクリーンルームは、主に半導体関連業で最も多く使用されてきたが、最近では、各種の薬品や食品の製造関連企業や病院などでも順次に拡大され適用されている傾向である。
【０００３】
しかし、産業の発展にしたがって、工場で発生する粉塵を含む大気汚染物質だけでなく、様々な建築現場や自動車の原因で発生される煤煙と粉塵の数が急増して、前述した施設以外にも、人々の利用する公共の場所で、ほこりを除去する必要性が増加することになった。
【０００４】
これによって、主に靴に付着したほこりを除去することができるほこり吸引装置は、各施設の入り口に設置されている場合はあるが、この場合、設置スペースの確保と、出入りする人が多い場合、ほこり吸引装置を経るようにすることのため、停滞現象が発生するようになる。
【０００５】
この時、先に出願されたほとんどの技術は、人が立ち上がると加圧されながらほこり吸引ホールが開放されて、空気と一緒にほこりを吸引する突出部材を具備し、このような突出部材は、バネによって支持されるようにする様々な先行技術があるが、髪や布のような長い物体は吸引されている途中で圧力が解除されると、突出部材が上昇しながら、ほこり吸引ホールが塞がって途中にかかられるようになり、この場合は、周辺の風等により再び抜け出して飛び散る場合が発生することになる。
【０００６】
また、ほこりを吸引する空間全体にわたって、突出部材が一つになるように接続して構成されて、ほこりが溜まって束になることなどの理由で、洗浄または整備作業をするために分解する作業が非常に大変だった問題点があった。
【先行技術文献】
【特許文献】
【０００７】
【特許文献１】韓国登録特許第１０−１１２４３８１号公報（登録日：２０１２年０２月２９日）
【特許文献２】韓国登録特許第１０−１２５５０５４号公報（登録日：２０１３年０４月１０日）
【特許文献３】韓国登録特許第１０−１２７１５５９号公報（登録日：２０１３年０５月３０日）
【特許文献４】韓国登録特許第１０−１２７８５１８号公報（登録日：２０１３年０６月１９日）
【特許文献５】韓国登録特許第１０−１３１０８８８号公報（登録日：２０１３年０９月１３日）
【特許文献６】韓国登録特許第１０−１４７７２１７号公報（登録日：２０１４年１２月２２日）
【発明の概要】
【発明が解決しようとする課題】
【０００８】
本発明は、前記のような問題点を解決するために開発されたもので、その目的としては、ほこり吸引パネルをモジュールの形式で装着して、一側から吸引される真空圧が均等に作用して突出部材が押さえられながら開放されるほこり吸引ホールを通じて、ほこりが効果的に吸引されるようにし、部分的に分解して洗浄または整備が可能なほこり吸引装置を開発することである。
【０００９】
また、吸引された途中に、突出部材の上昇により吸引されていないほこりと髪の毛などが動作していないときに、外部環境によって外部に再び排出されることを防止することができるほこり吸引装置を開発することである。
【課題を解決するための手段】
【００１０】
前記のような目的を達成するために、本発明は、前後方向に所定の間隔で複数形成される第１隔壁と、上端が前記第１隔壁よりも低く形成されて、左右方向に所定の間隔で複数形成される第２隔壁が、一体化に交差する形状を持つ矩形板の形状を持ち、前記第１隔壁と同じ高さから垂直方向の下に延長され、下端は、第１隔壁及び第２隔壁よりも下方に延長された後、内径が段差があるように縮小される円形の突出部材安着ホールが、格子配列に複数が配置されており、前後および左右側端は、垂直方向の下に延長されている側面隔壁を具備し、相互に対向する二つの側面隔壁の後方先端の一部が切開された二つの空気連通ホールを具備するグレーティングパネルと、前記グレーティングパネルの下部から挿入され、上面には前記突出部材安着ホールの垂直下部の延長線上に突出部材安着ホールよりも大きい外径で垂直貫通される複数の貫通穴と、前記貫通穴を中心とする正方形の形状で上部に斜めに延長される斜面と、隣接する斜面の間及び斜面と隣接する枠に、上部に突出する複数の間隔保持突起と、底面で、隣接する貫通穴の間で垂直方向の下に延長されて前後方向に延長する複数の下部支持隔壁と、前記二つの空気連通ホールを延長する線上で相互に離隔された円筒状に形成される複数の下部支持ピンを具備する下部パネルと、下部外径は、突出部材安着ホールの下端内径が段差があるように縮小された部分を貫通して、上端外径は、段差があるように拡張された後、上端がふっくりと仕上げされて、前記突出部材安着ホールに挿入された圧縮コイルバネが安着される安着段差が形成され、底面の中央には、ネジ穴が形成される複数の突出部材と、前記貫通穴よりも大きい外径を持つ円板形に形成されて、上面は、中央に行くほどふっくらと突出した形状を持って、中央に、垂直に貫通する装着ホールを具備して、下部から挿入される固定ボルトが装着ホールを貫通した後、突出部材のネジ穴と結合される開閉部材で構成されるほこり吸引パネルと、
複数の前記ほこり吸引パネルが、格子配列に安着されるように平板形で地面に安着され、枠の部分には、安着されるほこり吸引パネルの上部よりも低い高さで形成される枠部が形成される下部ベースと、
一側は、地面に安着され、他側は、底面が上部に段差があるように曲げされてから水平延長されて前記下部ベースの枠部の上部に安着され、進入し離脱する方向に傾斜路が形成される４つのケースと、
前記ケース中の一つと隣接して立設され、空気を吸引した後、ほこりをろ過してから排出するようにし、使用者が進入すると、これを検出して駆動するようにする検出部を含む集塵装置とを、含んで構成されることを特徴とする。
【００１１】
また、前記グレーティングパネルの側面隔壁の底面には、上部に陥没されて第１シーリングが挿入されている第１シーリング溝が形成され、
前記下部パネルは側面の枠に沿って陥没されて第２シーリングが挿入されて側面隔壁の内側面と密着加圧されるようにする第２シール溝が形成されることを特徴とする。
【００１２】
また、前記グレーティングパネルに形成された二つの空気連通ホールの一つは、底面が開口された「コ」の形状を持ち、枠に沿って外側に突出され、外郭枠に沿って陥没された第３シーリングが挿入される第３シール溝が形成され、他の一つは、隣接するグレーティングパネルの突出した部分が挿入され、第３シーリングを加圧できるよう構成されることを特徴とする。
【００１３】
前記集塵装置４は、第１ほこり捕集部４７と、前記第１ほこり捕集部４７に連通するフィルタチャンバ４８と、前記フィルタチャンバ４８に連通する第２ほこり捕集部４９と、前記第１ほこり捕集部４７に取り外し可能に結合されるほこり支持台４４とを含み、前記集塵装置４は、前記ほこり吸引パネル１にジャバラ形状のほこり吸引管４６を通じて接続され、前記第１ほこり捕集部４７は、前記ほこり吸引パネル１において前記ほこり吸引管４６を通じて流入する巨大ほこりを捕集し、前記第２ほこり捕集部４９は、フィルタ４８１が装着されたフィルタチャンバ４８を通じて流入される微細ほこりを捕集する。
【発明の効果】
【００１４】
上述したように、本発明は、矩形板状のモジュール形状を有するようにして、グリッド形式で配置し、突出部材を個別的に分離結合することができる構造を持つようにして、洗浄や修理のために分解および結合が容易な効果がある。
【００１５】
また、第１乃至第３空間部が形成されて、一度吸引されたほこりや異物は、ほこり吸引ホールを通過しなくても、外部に再び排出されることを防止して、外部の風や衝撃によって室内にほこりが飛散することを防止することができる効果がある。
【００１６】
本発明は、従来の、室内の異物の８０％以上が、靴底を通じて流入される状態で、エアシャワーを通過しても靴底の異物が捕集されない問題点を克服するためのもので、靴の底面にある髪の毛などのパーティクルを強力に吸引するので、汚染の根本的な原因を除去して、クリーンルームの状態を改善し、維持することを可能にする。
【図面の簡単な説明】
【００１７】
【図１】本発明の一実施例に係る斜視図である。
【図２】本発明の一実施例に係るほこり吸引パネルの結合構造を示す断面図である。
【図３】本発明の一実施例に係るほこり吸引パネルの分解斜視図である。
【図４】本発明の一実施例に係るグレーティングパネルと底面パネルを示す底面斜視図である。
【図５】本発明の一実施例に係る使用状態を示す断面図である。
【図６】本発明の一実施例に係る空気の流れを示す概念図である。
【図７】本発明の他の実施例に係るグレーティングパネルが組み立てられた状態を示す斜視図である。
【図８】本発明のさらに他の実施例に係るほこり吸引パネルの分解斜視図である。
【図９】本発明のさらに他の実施例に係るグレーティングパネルと底面パネルを示す底面斜視図である。
【図１０】本発明のさらに他の実施例に係る空気の流れを示す概念図である
【図１１】本発明のさらに他の実施例に係るグレーティングパネルが組み立てられた状態を示す斜視図である。
【図１２】本発明の他の実施例に係る斜視図である。
【図１３】本発明を構成する集塵装置の詳細な構成を示す図である。
【発明を実施するための形態】
【００１８】
これにより、本発明の構成を添付された図面によって、当業者が容易に理解して再現できるように詳細に説明すると、次の通りである。
【００１９】
図１は、本発明の一実施例に係る斜視図であり、図２は、本発明の一実施例に係るほこり吸引パネルの結合構造を示す断面図であり、図３は、本発明の一実施例に係るほこり吸引パネルの分解斜視図であり、図４は、本発明の一実施例に係るグレーティングパネルと底面パネルを示す底面斜視図であり、図５は、本発明の一実施例に係る使用状態を示す断面図であり、図６は、本発明の一実施例に係る空気の流れを示す概念図であって、本願は、ほこり吸引パネル１と下部ベース２とケース３と集塵装置４とで構成され、最も重要な特徴は、集塵のためのスペースを下部ベース２とケース３が形成して、複数のほこり吸引パネル１がモジュール型に装着されて、個別に容易に分離することができる構造を有することができる。
【００２０】
更に具体的な構成として、本願は、前後方向に所定の間隔で複数形成される第１隔壁１１１と、上端が前記第１隔壁１１１より低く形成されて、左右方向に所定の間隔で複数形成される第２隔壁１１２が一体化に交差する形状を持つ矩形板の形状を持ち、前記第１隔壁１１１と同じ高さから垂直方向の下に延長され、下端は、第１隔壁及び第２隔壁よりも下方に延長された後、内径が段差があるように縮小される円形の突出部材安着ホール１１３が、格子配列で複数配置され、前後及び左右側端は、垂直方向の下に延長されている側面隔壁１１４を具備し、相互に対向する二つの側面隔壁１１４の後方端部の一部が切開された二つの空気連通ホール１１５を具備するグレーティングパネル１１を具備している。
【００２１】
前記グレーティングパネル１１は、工事現場で使用されるスチールグレーチングのような形状を有し、ただ、内部に下部パネル１２を装着するために、内側の下部が空いているもので、垂直圧力に強い耐久力を持っており、別の補償のための構造なしに、側面隔壁１１４だけでも十分な支持が可能である。
【００２２】
また、グレーティングパネル１１の特徴は、一つのグレーティングパネル１１が、一つの区域を区画して密閉することであって、前記グレーティングパネル１１の側面隔壁１１４底面には、上部に陥没されて第１シーリング１１６が挿入される第１シーリング溝１１７が形成されるようにして、後述する下部ベース２の底面に密着密閉できるようにするものである。
【００２３】
図６を参照すると、これらのグレーティングパネル１１を配列したとき、空気連通ホール１１５は、集塵装置４からの吸引力によって、空気が通じることができる区域に設置する場合は、このような空気連通ホール１１５の配置を、最も効果的に空気を吸引することができ、比較的均一の圧力分布が行われるようにすべきである。
【００２４】
また、本願は、前記グレーティングパネル１１の下部から挿入され、上面には、前記突出部材安着ホール１１３の垂直下部の延長線上に突出部材安着ホール１１３よりも大きい外径で垂直貫通される複数の貫通穴１２１と、前記貫通穴１２１を中心とする正方形の形状で上部に斜めに延長される斜面１２２と、隣接する斜面１２２の間及び斜面１２２と隣接する枠に上部に突出する複数の間隔保持突起１２３と、底面で、隣接する貫通穴１２１の間で垂直方向の下に延長されて前後方向に延長する複数の下部支持隔壁１２４と、前記二つの空気連通ホール１１５を延長する線上で相互に離隔された円筒状に形成される複数の下部支持ピン１２５を具備する下部パネル１２を具備している。
【００２５】
前記下部パネル１２は、地面とは下部支持隔壁１２４によって密着支持されるものであり、下部支持隔壁１２４は、隣接する下部支持隔壁１２４や側面隔壁１１４の間のスペースを区画する役割もある。
【００２６】
また、間隔保持突起１２３は、グレーティングパネル１１の内側の天井面に密着して支持されるもので、長く延長された形状ではなく、中間に切れるようにして、その間の空気の出入りが自由にしたものである。
【００２７】
この時、間隔保持突起１２３によって、グレーティングパネル１１と離隔された空間と、斜面１２２による空間と、貫通穴１２１の下部空間にそれぞれ第１乃至第３空間部１５、１６、１７が形成される。
【００２８】
第１空間部１５の場合、ほこりや髪の毛などの異物が吸引された後、使用者の足の圧力が解除されながら、空気吸引が止まっても第１空間部１５にとどまっているので、外部の衝撃や風などによって、外部に飛散する恐れを減らすことができる空間である。
【００２９】
また、第２空間部１６は、吸引される断面積が狭くなりながら、吸入速度が増加する区間であり、第３空間部１７は、吸引されたほこりが滞在したり、通過する空間である。
【００３０】
このような構造に、下部外径は、突出部材安着ホール１１３の下端内径が段差があるように縮小された部分を貫通して、上端外径は、段差があるように拡張された後、上端がふっくりと仕上げされて、前記突出部材安着ホール１１３に挿入された圧縮コイルバネ１３１が安着される安着段差１３２が形成され、底面の中央には、ネジ穴１３３が形成される複数の突出部材１３と、
前記貫通穴１２１よりも大きい外径を持つ円板形に形成されて、上面は、中央に行くほどふっくらと突出した形を持って、中央に、垂直に貫通する装着ホール１４１を具備して、下部から挿入される固定ボルト１４２が装着ホール１４１を貫通した後、突出部材１３のネジ穴１３３と結合される開閉部材１４とが装着される。
【００３１】
したがって、使用者が通って踏むと、突出部材１３が下降しながら、開閉部材１４は、貫通穴１２１を開放させ、真空圧がかかっていた内部は、空気を吸引するようになって、周辺や靴に付着していたほこりを含む異物を吸引するようにすることである。
【００３２】
この時、前記下部パネル１２は、側面の枠に沿って陥没されて、第２シーリング１２６が挿入されて側面隔壁１１４の内側面と密着加圧されるようにする第２シール溝１２７が形成されるようにして、第３空間部１７にかかっていた真空圧が効果的に維持されるようにすることが好ましい。一方、前記第２シール溝１２７は、下部パネル１２において必要にしたがって削除できる。
【００３３】
このような構造を持つほこり吸引パネル１は、複数の前記ほこり吸引パネル１が、格子配列に安着されるように平板形で地面に安着され、枠の部分には、安着されるほこり吸引パネル１の上部よりも低い高さで形成される枠部２１が形成される下部ベース２に安着される。
【００３４】
一側は、地面に安着され、他側は、底面が上部に段差があるように曲げされてから水平に延長されて、前記下部ベース２の枠部２１の上部に安着され、進入し離脱する方向に傾斜路３１が形成される４つのケース３と、
前記ケース３中の一つと隣接して立設され、空気を吸引した後、ほこりをろ過してから排出するようにし、使用者が進入すると、これを検出して駆動するようにする検出部４１を含む集塵装置４とを含んで構成される。
【００３５】
この時、本願の検出部４１は、センサーによって自動的に動作するようにする方法を使用することができ、手や認識のためのカードを置くと、動作することができる方法など、様々な方法を使用することができる。
【００３６】
図７は、本発明の他の実施例に係るグレーティングパネルが組み立てられた状態を示す斜視図であって、前記グレーティングパネル１１に形成された二つの空気連通ホール１１５中の一つは、底面が開口された「コ」の形状を持ち、枠に沿って外側に突出され、外郭枠に沿って陥没した第３シーリング１１８が挿入される第３シール溝１１９が形成され、他の一つは、隣接するグレーティングパネル１１の突出した部分が挿入されて、第３シーリング１１８を加圧するように構成されことを特徴とする実施例を示した。
【００３７】
前記実施例は、グレーティングパネル１１が格子形式で配列されながら、空気連通ホール１１５が互いに接続されるようにしているが、互いに密着した側面隔壁１１４の間のスペースは、空気吸引の効率を落とす原因となることがある。
【００３８】
以下、図８乃至図１１を参照して、もう他の実施例に係るほこり吸引装置に関して説明する。以下は、図３乃至図７に示した実施例に係るほこり吸引装置と異なる部分についてのみ説明する。
【００３９】
本願においては、下部パネル１２は、前記下部パネル１２の下端の中央を横切る形態で配置される下部支持ピン１２５及び、底面で、隣接する貫通穴１２１の間で垂直方向の下に延長されて前後方向に延長すると同時に、前記下部支持ピン１２５を基準として対称的に配置される複数の下部支持隔壁１２４を具備する。他の構成要素は、図３乃至図７に示した実施例に係るほこり吸引装置と同一である。
【００４０】
一方、図１１を参照すると、第３シーリング１１８の配置位置は、様々に変更して設置することができる。
【００４１】
図１２を参照して、他の実施例に係るほこり吸引装置を説明する。
【００４２】
以下は、図１に示した一実施例に係るほこり吸引装置と異なる部分についてのみ説明する。
【００４３】
ほこり吸引装置を構成するほこり吸引パネル１、下部ベース２、ケース３及びグレーティングパネル１１は、図１の実施例と同じ構成を有する。
【００４４】
一方、グレーティングパネル１１は、下部ベース２とケース３に複数が取り外し可能に配置される。即ち、前記グレーティングパネル１１は、ケース３上で、必要なセルだけ部分的に分離して、交換可能な構造であることができる。グレーティングパネル１１に異物が挟まれたり、吸引機能をスムーズにする突出部材１３などが破損した場合には、ほこり吸引パネル１を完全に除去する必要がなく、必要なグレーティングパネル１１だけを別に解体することにより、簡単に整備を可能にする。
【００４５】
以下、図１３を参照して、集塵装置を具体的に説明する。
【００４６】
集塵装置４は、第１ほこり捕集部４７と、第１ほこり捕集部４７に連通するフィルタチャンバ４８と、フィルタチャンバ４８に連通する第２ほこり捕集部４９と、第１ほこり捕集部４７に取り外し可能に結合されるほこり支持台４４と、ほこり捕集部４７、４９の下端に結合されているフィルブ４５と、集塵装置４の上部に配置される検出部４１と、検出部４１とは別個に配置されている手動センサー４２と、外部記憶装置を利用して、広報映像などを出力することができるディスプレイ部４３を含んでいる。前記集塵装置４は、ほこり吸引パネル１に、ジャバラ形状のほこり吸引管４６を通じて接続されている。
【００４７】
第１ほこり捕集部４７は、ほこり吸引パネル１でほこり吸引管４６を通じて流入する巨大ほこりを捕集する機能をする。
【００４８】
第２ほこり捕集部４９は、ユニフィルター４８１が装着されたフィルタチャンバ４８を通じて、流入される微細ほこりを捕集した後、通過された空気を前記第２ほこり捕集部４９の底部に結合される排気口４９６を通じて外部に排出するようにする。第２ほこり捕集部４９は、その下端にサイレンサ４９５が設置され、これにより、第２ほこり捕集部４９のモータ４９２グドンルルを通じてほこりが捕集された後、空気が排出される過程での騒音を防止することである。
【００４９】
本発明は、ほこり吸引パネル１を構成するグレーティングパネル１１を通じて、靴底を通じて流入する１μｍサイズのほこりから各種有害物質、パーティクル、水気などの靴から由来するすべての有害物質を強力吸引して、さらによりクリーンな室内環境を造成するようにする。
【００５０】
本発明は、靴底のパーティクル除去のために、入室前クリーンルームエアシャワー室に配置したり、クリーン環境を維持するための建物に入室する前に配置したり、または既存のスティッキー（ｓｔｉｃｋｙ  ｍａｔ）を使用しているすべての場所を代替することができる。
【符号の説明】
【００５１】
１：ほこり吸引パネル
１１：グレーティングパネル
１１１：第１隔壁
１１２：第２隔壁
１１３：突出部材安着ホール
１１４：側面隔壁
１１５：空気連通ホール
１１６：第１シーリング
１１７：第１シール溝
１１８：第３シーリング
１１９：第３シール溝
１２：下部パネル
１２１：貫通穴
１２２：斜面
１２３：間隔保持突起
１２４：下部支持隔壁
１２５：下部支持ピン
１２６：第２シーリング
１２７：第２シール溝
１３：突出部材
１３１：圧縮コイルバネ
１３２：安着段差
１３３：ネジ穴
１４１：装着ホール
１４２：固定ボルト
１５：第１空間部
１６：第２空間部
１７：第３空間部
２：下部ベース
２１：枠部
３：ケース
３１：傾斜路
４：集塵装置
４１：検出部
【図１】
0006256543.tif 000002
【図２】
0006256543.tif 000003
【図３】
0006256543.tif 000004
【図４】
0006256543.tif 000005
【図５】
0006256543.tif 000006
【図６】
0006256543.tif 000007
【図７】
0006256543.tif 000008
【図８】
0006256543.tif 000009
【図９】
0006256543.tif 000010
【図１０】
0006256543.tif 000011
【図１１】
0006256543.tif 000012
【図１２】
0006256543.tif 000013
【図１３】
0006256543.tif 000014